(57)【要約】【課題】駆動時における振動音の発生を防ぎかつ良好な表示状態が得られるプラズマディスプレイパネルを提供する。【解決手段】プラズマディスプレイパネル１は、背面基板３と、前面基板４と、隔壁と、シールフリット５と、シールフリット５に沿って背面基板３および前面基板４の四辺に点線状に設けられた内部フリット６と、を備えている。このため、内部フリット６により、パネル駆動時に発生する振動音を可聴領域外にシフトして擬似的に振動音の発生を防ぐことができる。また、内部フリット６を、放電空間２に対向する側の端部と、隔壁における放電空間２の略外側に対応する部位との間の距離ｄ２が３．０ｍｍ以上となる位置に設けているので、誤放電が生じることなく良好な表示を実現することができる。【選択図】図２
2006278144.tif 000002
【特許請求の範囲】
【請求項１】
放電空間を挟んで対向配置された平面略長方形状の一対の基板、
前記一対の基板のうちの一方に設けられ前記一対の基板同士の間隙を規定しかつ前記放電空間を含む前記一対の基板に挟まれた空間を区画する隔壁、
前記隔壁の外周側を囲みかつ前記一対の基板同士を封着する封着部材、および、
前記封着部材で密閉された空間の内側かつ前記隔壁の外側の領域において、前記一対の基板の少なくとも長手方向両端側でそれぞれ前記長手方向と交差する方向に延びて設けられ前記一対の基板同士を連結する連結部材、を具備し、
前記連結部材は、前記放電空間に対向する側の端部と、前記隔壁における前記放電空間の略外側に対応する部位との間の距離が３．０ｍｍ以上となる位置に設けられた
ことを特徴とするプラズマディスプレイパネル。
【請求項２】
請求項１に記載のプラズマディスプレイパネルにおいて、
前記連結部材は、前記放電空間に対向する側の端部と、前記隔壁における前記放電空間の略外側に対応する部位との間の距離が４．０ｍｍ以上となる位置に設けられた
ことを特徴とするプラズマディスプレイパネル。
【請求項３】
請求項１または請求項２に記載のプラズマディスプレイパネルにおいて、
前記連結部材は、前記放電空間に対向する側の端部と、前記隔壁における外側の端部との間の距離が１０ｍｍ以下となる位置に設けられた
ことを特徴とするプラズマディスプレイパネル。
【請求項４】
請求項１ないし請求項３のいずれかに記載のプラズマディスプレイパネルにおいて、
前記放電空間に形成された前記隔壁間のそれぞれの領域には蛍光体が形成されることにより、前記放電空間が表示領域を為す
ことを特徴とするプラズマディスプレイパネル。
【請求項５】
請求項１ないし請求項４のいずれかに記載のプラズマディスプレイパネルにおいて、
前記封着部材は、前記封着部材より融点が高く、前記一対の基板同士の間隙寸法と略等しい外径から前記間隙寸法の５倍の外径を有する粒状物質を含有する
ことを特徴とするプラズマディスプレイパネル。
【請求項６】
請求項５に記載のプラズマディスプレイパネルにおいて、
前記封着部材及び前記連結部材のうち、前記封着部材のみが前記粒状物質を含有する
ことを特徴とするプラズマディスプレイパネル。
【請求項７】
請求項１ないし請求項６のいずれかに記載のプラズマディスプレイパネルにおいて、
前記連結部材は、前記封着部材で密閉された空間の内側かつ前記隔壁の外側の領域において、所定の長さの複数の直線がそれぞれ同一直線上に延びた点線状に形成された
ことを特徴とするプラズマディスプレイパネル。
【請求項８】
請求項７に記載のプラズマディスプレイパネルにおいて、
前記連結部材は、前記封着部材に沿って前記一対の基板の四辺に設けられた
ことを特徴とするプラズマディスプレイパネル。
【請求項９】
請求項１ないし請求項６のいずれかに記載のプラズマディスプレイパネルにおいて、
前記一対の基板のうちの一方は、前記封着部材で密閉された空間の内側かつ前記隔壁の外側の領域における一部に、前記放電空間から気体を排出しかつ前記放電空間に放電ガスを導入するための通気孔を備え、
前記連結部材は、少なくとも前記通気孔の近傍を除いて、前記封着部材に沿って前記一対の基板の四辺に一連に設けられた
ことを特徴とするプラズマディスプレイパネル。
【請求項１０】
請求項１ないし請求項９のいずれかに記載のプラズマディスプレイパネルにおいて、
前記封着部材と前記連結部材は同種のガラス粉末を主成分とする
ことを特徴とするプラズマディスプレイパネル。
【請求項１１】
放電空間を挟んで対向配置された平面略長方形状の一対の基板、
前記一対の基板のうちの一方に設けられ前記一対の基板同士の間隙を規定しかつ前記放電空間を含む前記一対の基板に挟まれた空間を区画する隔壁、
前記隔壁の外周側を囲みかつ前記一対の基板同士を封着する封着部材、および、
前記封着部材で密閉された空間の内側かつ前記隔壁の外側の領域において、前記一対の基板の少なくとも長手方向両端側でそれぞれ前記長手方向と交差する方向に延びて設けられ前記一対の基板同士を連結する連結部材、を設け、
前記連結部材を、前記放電空間に対向する側の端部と、前記隔壁における前記放電空間の略外側に対応する部位との間の距離が３．０ｍｍ以上となる位置に設ける
ことを特徴とするプラズマディスプレイパネルの製造方法。
【発明の詳細な説明】
【技術分野】
【０００１】
本発明は、放電空間を挟んで対向配置された平面略長方形状の一対の基板を備えたプラズマディスプレイパネル、および、このプラズマディスプレイパネルの製造方法に関する。
【背景技術】
【０００２】
一般的に、プラズマディスプレイパネルは、放電空間を介して互いに対向配置された平面略長方形状の一対のガラス基板である前面基板と背面基板とを備えている。前面基板の内面側には、複数の表示電極、複数のブラックストライプ、誘電体層および保護膜などがそれぞれ設けられている。背面基板の内面側には、前面基板の表示電極と略直交する複数のアドレス電極、アドレス電極保護層、放電空間を複数個の放電セルに区画する隔壁、放電セル内部のそれぞれに充填された赤（Ｒ）、緑（Ｇ）、青（Ｂ）の３原色の蛍光体層などがそれぞれ設けられている。そして、これら複数個の放電セル内には希ガスなどの放電ガスが注入されており、それぞれの放電セル内で選択的に放電発光させることにより画像表示が可能とされている。
【０００３】
このようなプラズマディスプレイパネルを製造するに当り、前面基板および背面基板を形成した後の工程に、前面基板と背面基板とを封着する封着工程、封着工程後の封着された前面基板と背面基板の間に形成された空間内に残留する不純ガスを該空間外に排出する排気行程、および排気工程後に当該空間内に放電ガスを封入するガス封入工程が設けられている。封着工程は、アドレス電極保護層の外周縁部上に、放電空間の外周を囲う状態で軟化点が４００℃前後の低融点ガラスからなる封着材を設け、前面基板と背面基板とを対向させてそれぞれの基板端部を押さえつけた状態で熱処理することにより封着するものである。なお、この時、同時に背面基板などに設けられた通気孔上に、チップ管が封着される。また、排気工程は、封着された前面基板および背面基板の間の空気を通気孔およびチップ管を介して排気するものである。ガス封入工程は、プラズマディスプレイの空間内部圧力が６．７×１０４Ｐａ（５００Ｔｏｒｒ）程度となる状態に通気孔およびチップ管を介して放電ガスを導入した後に当該チップ管を封止するものである。
【０００４】
ここで、封着工程の熱処理時に封着材が溶融収縮することにより、または、封着工程によって熱処理された後、軟化・融着した封着材の強度が充分に得られない状態でガス封入工程による圧力変動が加えられることにより、それぞれのガラス基板の端部間に隙間が生じたり、それぞれのガラス基板における中央部で基板間隔が離れて隙間が形成されてしまうことがある。このようなプラズマディスプレイパネルを駆動した場合、アドレス電極および表示電極へ例えば４００Ｖ以上の高電圧を印加することにより、前面基板および背面基板がこの印加電圧で生じる静電力によって互いに反発あるいは吸引し合う。このため、前面基板と背面基板との間に形成された隙間にて前面基板および背面基板の一部が周期的に接触し、振動音が発生する問題がある。
【０００５】
このような問題に対して、従来、背面基板に設けた隔壁から封着材までの空隙に、空隙を支えるように隔壁と略同一の高さで隔壁と同一材料からなる支柱を設ける構成が知られている（例えば、特許文献１参照）。この特許文献１に記載のものは、支柱を、隔壁を形成する際に同時に背面基板上に形成し、前面基板に当接するように配置する。封着時には、前面基板と背面基板とを組み合わせた位置を固定するために両基板をクリップで挟んで封着する。この際のクリップ位置を支柱と隔壁との間の位置とする、という構成が採られている。このため、封着材が軟化しても支柱の高さ未満につぶされる力は生じず、隔壁から封着材までの間隙は略一定に保たれた封着が可能となり、隔壁と前面基板との間に空隙が生じることを防ぐことができる。
【０００６】
また、従来、上記問題に対して、前面基板と背面基板との封着材で囲まれる領域のうち非表示領域となる放電空間以外の領域において、当該非表示領域における隔壁頂部と前面基板とを接合剤にて接合する構成が知られている（例えば、特許文献２参照）。この特許文献２に記載のものは、接合剤に、低融点ガラスにセラミックスなどの粉体を混ぜたフリットをアクリルなどの樹脂とターピネオールなどの溶剤で混練したペーストにしたものを用いる、という構成が採られている。このため、非表示領域における隔壁頂部と前面基板とを接合することにより、放電によって前面基板と背面基板との間の主として静電的な作用によって起こる振動を大幅に抑えることができる。
【０００７】
さらに、従来、上記問題に対して、隔壁の端部から封着材までの長さを短縮する構成が知られている（例えば、特許文献３参照）。この特許文献３に記載のものは、隔壁の端部から封着材までの長さを短縮することにより、封着工程においてガラス基板端部が湾曲して前面基板と隔壁端部との間に隙間が形成されたとしても、当該隙間により生じるバズ音の振動数を人間の可聴周波数よりも高くすることで擬似的にバズ音を消音する構成が採用されている。
【０００８】
【特許文献１】特開２００２−４２６６７（第３頁右欄−第４頁左欄、図１参照）
【特許文献２】特開２００１−１７６４０３（第４頁、図２参照）
【特許文献３】特開２００３−３３１７３３（第３頁左欄−第４頁左欄、図３参照）
【発明の開示】
【発明が解決しようとする課題】
【０００９】
しかしながら、上述した特許文献１のような構成では、背面基板上に形成された支柱の端部が前面基板に当接した状態で前面基板と背面基板との間の空隙を支えるため、支柱端部と前面基板との間に僅かな空隙が形成された場合に、当該支柱端部と前面基板との間で振動音が発生してしまうおそれがある、という問題が一例として挙げられる。
【００１０】
また、上述した特許文献２のような構成では、有機溶剤を含む接合剤を放電空間近傍の被表示領域における隔壁頂部に塗布するので、封着工程の熱処理において有機溶剤が充分に接合剤から排出されずに接合剤中に僅かに残ったままの状態となる可能性がある。このような状態では、プラズマディスプレイパネルの駆動時に当該有機溶剤が気化して誤放電を引き起こし、プラズマディスプレイパネルの表示状態が悪化するおそれがある、という問題が一例として挙げられる。
【００１１】
そして、上述した特許文献３のような構成では、隔壁の端部から封着材までの長さを短縮して封着材が隔壁端部近傍に設けられると、擬似的にバズ音を消音することができるが、封着材に含まれる有機溶剤などがガス化したものが放電空間に到達容易な状態となる。このような場合、封着材から発生したガス成分によりプラズマディスプレイパネルの駆動時に誤放電を引き起こし、プラズマディスプレイパネルの表示状態が悪化するおそれがある、という問題が一例として挙げられる。
【００１２】
本発明は、上述したような問題点に鑑みて、駆動時における振動音の発生を防ぎかつ良好な表示状態が得られるプラズマディスプレイパネルおよびプラズマディスプレイパネルの製造方法を提供することを１つの目的とする。
【課題を解決するための手段】
【００１３】
請求項１に記載の発明は、放電空間を挟んで対向配置された平面略長方形状の一対の基板、前記一対の基板のうちの一方に設けられ前記一対の基板同士の間隙を規定しかつ前記放電空間を含む前記一対の基板に挟まれた空間を区画する隔壁、前記隔壁の外周側を囲みかつ前記一対の基板同士を封着する封着部材、および、前記封着部材で密閉された空間の内側かつ前記隔壁の外側の領域において、前記一対の基板の少なくとも長手方向両端側でそれぞれ前記長手方向と交差する方向に延びて設けられ前記一対の基板同士を連結する連結部材、を具備し、前記連結部材は、前記放電空間に対向する側の端部と、前記隔壁における前記放電空間の略外側に対応する部位との間の距離が３．０ｍｍ以上となる位置に設けられたことを特徴とするプラズマディスプレイパネルである。
【００１４】
請求項１１に記載の発明は、放電空間を挟んで対向配置された平面略長方形状の一対の基板、前記一対の基板のうちの一方に設けられ前記一対の基板同士の間隙を規定しかつ前記放電空間を含む前記一対の基板に挟まれた空間を区画する隔壁、前記隔壁の外周側を囲みかつ前記一対の基板同士を封着する封着部材、および、前記封着部材で密閉された空間の内側かつ前記隔壁の外側の領域において、前記一対の基板の少なくとも長手方向両端側でそれぞれ前記長手方向と交差する方向に延びて設けられ前記一対の基板同士を連結する連結部材、を設け、前記連結部材を、前記放電空間に対向する側の端部と、前記隔壁における前記放電空間の略外側に対応する部位との間の距離が３．０ｍｍ以上となる位置に設けることを特徴とするプラズマディスプレイパネルの製造方法である。
【発明を実施するための最良の形態】
【００１５】
〔プラズマディスプレイパネルの構成〕
以下、本発明の実施の形態について図面に基づいて説明する。図１は、本実施の形態に係るプラズマディスプレイパネルの内部構造を示した斜視図である。図２は、プラズマディスプレイパネルの外観を示した正面図である。図３は、プラズマディスプレイパネルの要部を拡大して示した正面図である。図４は、プラズマディスプレイパネルの断面を示す側面図であり、図４（Ａ）は熱処理前の状態を示し、図４（Ｂ）は熱処理後の状態を示す。なお、これらの図面において、各種電極および放電セルの寸法は説明の簡易化のため基板に対して相対的に大きく、それらの数は実際よりも大幅に省略して表示してある。また、図２および図３においては、プラズマディスプレイパネルの正面視で、前面基板の内面側に設けられたシールフリットおよび内部フリットを実線で表示し、その他の構成は適宜図示省略した。
【００１６】
本実施の形態において、図１および図２に示すように、１はプラズマディスプレイパネルであり、このプラズマディスプレイパネル１は、放電空間２を介して互いに対向配置された背面基板３および前面基板４と、封着部材としてのシールフリット５と、連結部材としての内部フリット６とを備えている。
【００１７】
放電空間２は、図２に示すように、背面基板３および前面基板４の間に挟まれた空間の内部側に形成された平面視で略長方形状の空間であり、この放電空間２において、画像表示が実施される表示領域Ｉが形成されている。
【００１８】
背面基板３は、例えば歪点が比較的高い板状ガラス（例：旭硝子（株）製ＰＤ２００）などを用いた平面略長方形状のガラス板である。この背面基板３は、図１ないし図４に示すように、複数のアドレス電極３０と、誘電体層であるアドレス電極保護層３１と、隔壁３２と、赤（Ｒ）、緑（Ｇ）、青（Ｂ）の３原色の蛍光体層（３３Ｒ,３３Ｇ,３３Ｂ）と、後述する排気工程およびガス封入工程に用いられる通気孔３４および図示しないチップ管とを備えている。
【００１９】
アドレス電極３０は、例えばＡｌ（アルミニウム）などの金属材料からなるストライプ状の複数の電極パターンであり、背面基板３の長手方向に略直交して一定の間隔で配設されている。それぞれのアドレス電極３０の一端は放電空間２の外部に延出しており、これにより図示しないアドレス電極引出部が形成されている。そして、このアドレス電極引出部には図示しないアドレス電極引出部用配線板が圧着されている。さらに、アドレス電極引出部用配線板には図示しない列電極駆動部が接続され、列電極駆動部を適宜制御することにより、それぞれのアドレス電極３０に高電圧パルスが印加される。
【００２０】
アドレス電極保護層３１は、ガラスペーストからなり、背面基板３の内面上における背面基板３および前面基板４が互いに重なる領域に対応する部位にアドレス電極３０を覆う状態に設けられている。
【００２１】
隔壁３２は、アドレス電極保護層３１上において、例えばアドレス電極保護層３１と同一成分のガラスペーストで井桁状に形成され、アドレス電極保護層３１の周縁部よりも内側に形成されている。この隔壁３２は、図４（Ｂ）に示すように、その基端部から頂部までの高さがそれぞれ所定の高さ寸法Ｘに設定されており、背面基板３と前面基板４との間隙を所定の寸法に規定する。また、隔壁３２は、図１，図２および図４（Ｂ）に示すように放電空間２を含む背面基板３および前面基板４に挟まれた空間を井桁状に区画する。これにより、隔壁３２のうち表示領域Ｉに対応する隔壁３２により複数の矩形状の放電セル３２Ａが形成されている。これら複数の放電セル３２Ａ内部に、赤（Ｒ）、緑（Ｇ）、青（Ｂ）の３原色の蛍光体層（３３Ｒ,３３Ｇ,３３Ｂ）が順に設けられている。蛍光体層（３３Ｒ，３３Ｇ，３３Ｂ）は、それぞれの放電セル３２Ａで発生した紫外光により励起され、赤（Ｒ）、緑（Ｇ）、青（Ｂ）の３原色の可視光を発光する。また、隔壁３２のうち表示領域Ｉの外周を囲む略矩形枠状の領域ＩＩにおける隔壁３２は製造工程で不均一な形状に形成されてしまうため、蛍光体層を設けない捨てセル３２Ｂとしている。すなわち、蛍光体層（３３Ｒ，３３Ｇ，３３Ｂ）が形成され、後述する対となる透明電極４０間の放電によって蛍光体層からの３原色光が発光される表示領域Ｉとしての放電空間２と、この放電空間の外周を囲み蛍光体層が設けらない非表示領域としての領域ＩＩが設けられる。
【００２２】
通気孔３４は、背面基板３の内部から外部へ向けて穿孔形成された貫通孔であり、図２および図３に示すように、背面基板３における隔壁３２の外側かつ隔壁３２の一角部近傍に設けられている。チップ管は、例えば蓋状のガラス管であり、背面基板３の外面側に通気孔３４に後述する封着工程にて、低融点ガラスなどによって取り付けられる。これら通気孔３４およびチップ管は、後述する排気工程およびガス封入工程において使用される。
【００２３】
前面基板４は、例えば背面基板３と同じ材料を用いた平面略長方形状のガラス板である。この前面基板４は、背面基板３よりも長手方向に長くかつ背面基板３よりも当該長手方向と直行する方向に短く形成されている。そして、前面基板４は、図１に示すように、複数の透明電極４０と、複数のバス電極対４１と、複数のブラックストライプ４２と、誘電体層４３と、保護層４４とを備えている。
【００２４】
複数の透明電極４０は、ＩＴＯ（Ｉｎｄｉｕｍ Ｔｉｎ Ｏｘｉｄｅ）などの透明導電膜でそれぞれ略Ｔ字形状に形成されている。これら透明電極４０は、前面基板４内面上において、対向する背面基板３の所定の放電セル３２Ａに２つの透明電極４０が対応する状態で一対ずつ配設されている。
【００２５】
複数のバス電極対４１は、例えばＡｇ（銀）を主成分とした金属材料からなる複数の電極対であり、それぞれアドレス電極３０と略直交する状態で一定の間隔で配列されている。これらバス電極対４１は、一対の透明電極４０のそれぞれの一端部に積層した状態で接続され、それぞれのバス電極対４１の一端は放電空間２の外部に延出して図示しないバス電極引出部が形成されている。そして、このバス電極引出部には図示しないバス電極引出部用配線板が圧着され、さらに、バス電極引出部用配線板には図示しない行電極駆動部が接続されている。この行電極駆動部を適宜制御することにより、それぞれの透明電極４０に例えば４００Ｖ以上の高電圧パルスが印加される。
【００２６】
複数のブラックストライプ４２は、例えば黒色無機顔料などの可視光吸収性材料からなり、隣接するバス電極対４１同士で挟まれたスペースに充填されてそれぞれストライプ状に形成されている。誘電体層４３は、例えばガラスペーストからなり、前面基板４の内面側に設けられた複数の透明電極４０、複数のバス電極対４１および複数のブラックストライプ４２を覆うように、背面基板３のアドレス電極保護層３１と対向して設けられている。保護層４４は、ＭｇＯ（酸化マグネシウム）などで誘電体層４３上の全面に形成され、誘電体層４３を保護する。
【００２７】
シールフリット５は、例えば、低融点ガラス粉末にアクリルなどの樹脂とターピネオールなどの溶剤で混練したペーストを焼成凝固したものである。このシールフリット５は、図２ないし図４に示すように、隔壁３２の外周側を囲む状態、すなわち、背面基板３におけるアドレス電極保護層３１の周縁側および前面基板４における保護層４４の周縁側を連結する状態で一連に設けられ、背面基板３および前面基板４を封着する。これにより、シールフリット５で囲まれた内部に気密領域ＩＩＩが形成されている。この気密領域ＩＩＩの内部においては、例えば、内部圧力が６．７×１０４Ｐａ（５００Ｔｏｒｒ）程度の負圧状態で、Ｈｅ−Ｘｅ（ヘリウム−キセノン）系やＮｅ−Ｘｅ（ネオン−キセノン）系の不活性ガスが充填されている。
【００２８】
また、図４（Ｂ）に示すように、このシールフリット５には、シールフリット５に含まれる低融点ガラス粉末よりも融点が高く、例えば球形や円柱状などに形成されたガラスビーズ５０が混入されている。このガラスビーズ５０は、その外径寸法Ｙが隔壁３２の高さ寸法Ｘと略等しい寸法から高さ寸法Ｘの５倍の寸法に設定されている（Ｘ≦Ｙ≦５Ｘ）。なお、ガラスビーズ５０の外径寸法Ｙを隔壁の高さ寸法Ｘの５倍までと設定されているのは、それ以上にガラスビーズ５０の外径寸法Ｙが大きくなると、放電空間外側においてその高さ寸法が大きくなり、対向するアドレス電極３０と透明電極４０との間で後述する選択放電を生起しずらくなるなどの不具合が発生するためである。
【００２９】
内部フリット６は、シールフリット５と同様に、例えば、低融点ガラス粉末にアクリルなどの樹脂とターピネオールなどの溶剤で混練したペーストを焼成凝固したものである。なお、シールフリット５で用いる低融点ガラス粉末と内部フリット６で用いる低融点ガラス粉末とを同じ低融点ガラス粉末とすると、シールフリット用ペースト及び内部フリット用ペーストのペースト作成工程の一部を兼用化することができる。但し、内部フリット６にはガラスビーズ５０は混入されていない。この内部フリット６は、気密領域ＩＩＩの内側かつ隔壁３２の外側の領域において、シールフリット５に沿って背面基板３および前面基板４の四辺に点線状に設けられ、背面基板３および前面基板４同士を連結する。
【００３０】
具体的には、内部フリット６は、図２に示すように、気密領域ＩＩＩの内側かつ隔壁３２の外側の領域において、所定の長さおよび所定の幅を有した複数の直線が、それぞれの長さ寸法よりも大きな一定の間隔をおいて同一直線上に延びて形成されている。すなわち、背面基板３および前面基板４の長手方向両端側におけるそれぞれの内部フリット６は当該長手方向と略直交する直線上に延びて点線状に設けられ、背面基板３および前面基板４の長手方向と直交する方向両端側におけるそれぞれの内部フリット６は当該長手方向と略平行する直線上に延びて点線状に設けられている。また、図３および図４（Ｂ）に示すように、それぞれの内部フリット６は、放電空間２に対向する側の端部と、隔壁３２の外側の端部との間の距離ｄ１が、後述する通り、１０ｍｍ以下となる位置に設けられている。さらに、それぞれの内部フリット６は、放電空間２に対向する側の端部と、隔壁３２における放電空間２の略外側に対応する部位との間の距離ｄ２が、後述する通り、３．０ｍｍ以上、より好ましくは４．０ｍｍ以上となる位置に設けられている。
【００３１】
〔プラズマディスプレイパネルの製造方法〕
次に、上述した構成のプラズマディスプレイパネル１の製造方法について図面に基づいて説明する。
【００３２】
まず、背面基板３の内面上に、複数のアドレス電極３０と、アドレス電極保護層３１と、隔壁３２と、赤（Ｒ）、緑（Ｇ）、青（Ｂ）の３原色の蛍光体層（３３Ｒ,３３Ｇ,３３Ｂ）と、通気孔３４とを設けて、背面基板３を作製しておく。また、前面基板４の内面上に、複数の透明電極４０と、複数のバス電極対４１と、複数のブラックストライプ４２と、誘電体層４３と、保護層４４とを設けて、前面基板４を作製しておく。
【００３３】
この後、封着工程に移行する。すなわち、背面基板３の上述した所定の位置にシールフリット５および内部フリット６となるガラスペーストを塗布し、背面基板３および前面基板４を上述した所定の位置関係において互いに対向させて貼り合わせる。そして、それぞれの基板端部を図示しないクリップなどで押さえつけた状態で、背面基板３を図示しない熱処理装置の載置面に載置する（図４（Ａ））。この状態において、シールフリット５および内部フリット６を熱処理（例えば、約４５０℃）することにより、低融点ガラスを溶解させ、それぞれの内部に含まれた樹脂や溶剤などを揮発させる。この揮発した樹脂や溶剤のガス成分は、通気孔３４などを介してパネル外部に放出される。そして、シールフリット５および内部フリット６を冷却することにより低融点ガラスを凝固させて背面基板３および前面基板４を封着する（図４（Ｂ））。この時、同時に背面基板３の通気孔３４上に、チップ管が封着される。
【００３４】
この封着工程におけるシールフリット５および内部フリット６の作用について詳述する。図４（Ａ）において、シールフリット５内のガラスビーズ５０の外径寸法Ｙが隔壁３４の高さ寸法Ｘと同一か又は若干大きく設定されているので、前面基板４の外周端部はガラスビーズ５０にて支持され、前面基板４の内側が自重にて撓んでいる。そして、前面基板４の保護層４４が背面基板３の隔壁３２頂部に接している。これにより、各内部フリット６における放電空間２に対向する側のそれぞれの端部から表示領域Ｉ内部における隔壁３２の所定の部位までの間の領域ＩＶにおいて、前面基板４の保護層４４と背面基板３の隔壁３２頂部との間に隙間Ｓが形成されている。
【００３５】
そして、図４（Ａ）の状態のシールフリット５および内部フリット６を熱処理することにより、シールフリット５および内部フリット６のそれぞれに含まれた低融点ガラス粉末が凝縮すると共に樹脂や溶剤などが揮発し、シールフリット５および内部フリット６が収縮する。この際、図４（Ｂ）に示すように、シールフリット５内のガラスビーズ５０が背面基板３および前面基板４のそれぞれの端部間の寸法を規定しているので、シールフリット５が収縮してもこれらガラス基板の端部が潰れることがなく、かつ、前面基板４の中央部が背面基板３に対して浮き上がることもない。また、ガラスビーズが混入されていない内部フリット６が収縮することにより、シールフリット５内のガラスビーズ５０を１つの支点とした状態で背面基板３および前面基板４の内部フリット６が設けられている部位間の距離が縮まり、放電空間２の略外側に対応する隔壁３２の頂部と前面基板４の保護層４４とが当接する状態となる。これにより、図４（Ａ）に示す隙間Ｓが、図４（Ｂ）に示す隙間Ｓ１にまで縮小する。すなわち、この隙間Ｓ１は、各内部フリット６における放電空間２に対向する側のそれぞれの端部から隔壁３２における表示領域Ｉの外側に対応する部位までの領域Ｖにおいて、前面基板４の保護層４４と背面基板３の隔壁３２頂部との間に形成された隙間である。
【００３６】
さらに、この後、排気工程およびガス封入工程に移行する。すなわち、背面基板３の通気孔３４および図示しないチップ管を介して、気密領域ＩＩＩ内部の気体をシールフリット５が溶解しない程度の温度下（例えば、約３５０℃）で真空ポンプなどにより排気する。排気後、背面基板３の通気孔３４および図示しないチップ管を介して、気密領域ＩＩＩ内部に放電ガスを導入し、気密領域ＩＩＩ内部が、例えば６．７×１０４Ｐａ（５００Ｔｏｒｒ）程度となる状態に調整する。放電ガスの導入後、図示しないチップ管の先端を加熱してチップ管を溶融させ、チップ管自体を封止する。
【００３７】
この後、背面基板３におけるアドレス電極引出部にアドレス電極引出部用配線板を圧着し、さらにアドレス電極引出部用配線板に列電極駆動部を接続する。また、前面基板４におけるバス電極引出部にバス電極引出部用配線板を圧着し、さらにバス電極引出部用配線板に行電極駆動部を接続する。以上の工程を経ることにより、プラズマディスプレイパネル１が完成する。
【００３８】
〔プラズマディスプレイパネルの動作〕
次に、上記のようにして製造したプラズマディスプレイパネル１の駆動動作について図面に基づいて説明する。プラズマディスプレイパネル１の駆動は、列電極駆動部および行電極駆動部を制御して特定のアドレス電極３０および透明電極４０へ高電圧が印加される。これにより、特定のアドレス電極３０および対となる透明電極４０に対向する特定の放電セル３２Ａにて、点灯セル及び非点灯セルを設定する選択放電が行われる。この際、背面基板３および前面基板４がこの印加電圧で生じる静電力によって互いに反発あるいは吸引し合う。
【００３９】
ここで、図４（Ｂ）に示すように、表示領域Ｉにおいては、内部フリット６により隔壁３２の頂部に前面基板４の保護層４４が当接した状態となり、かつ、気密領域ＩＩＩ内部は１．０×１０５Ｐａ（７６０Ｔｏｒｒ）程度の外気圧に対して負圧であるのでさらに隔壁３２の頂部に前面基板４の保護層４４が密着した状態となっている。このため、前面基板４が撓むことなく背面基板３と前面基板４との間隙が一定となっており、表示領域Ｉにおいては、振動音が発生することがない。
【００４０】
一方、図４（Ｂ）に示すように、領域Ｖにおいては、前面基板４が撓んで前面基板４の保護層４４と背面基板３の隔壁３２頂部との間に隙間Ｓ１が形成されている。これにより、この領域Ｖにおける前面基板４が、両端固定梁の撓み運動と同様に、プラズマディスプレイパネル１の駆動に伴って撓み運動をする。そして、背面基板３と前面基板４との間に形成された隙間Ｓ１にて前面基板４の保護層４４の一部および背面基板３の隔壁３２の頂部が周期的に接触し、固有の周波数の振動音が発生する。しかし、それぞれの内部フリット６は、放電空間２に対向する側端部と、隔壁３２の外側の端部との間の距離ｄ１が１０ｍｍ以下となる位置に設けられているので、発生した振動音の周波数が人間の可聴領域（２０Ｈｚ〜２０ＫＨｚ）よりも高音領域側にシフトしており、利用者がこの振動音を振動音として認知することがない。
【００４１】
また、図４（Ｂ）に示すように、それぞれの内部フリット６は、放電空間２に対向する側の端部と、隔壁３２における放電空間２の略外側に対応する部位との間の距離ｄ２が、３．０ｍｍ以上、より好ましくは４．０ｍｍ以上となる位置に設けられている。このため、封着工程および排気工程において内部フリット６中から排出されずに残存した僅かな溶剤などがプラズマディスプレイパネル１の駆動時にアウトガスとして飛散しても、内部フリット６から放電セル３２Ａの外側までに充分な間隔が設けられているので、これらアウトガスが外側の放電セル３２Ａまでに到達することがない。これにより、外側の放電セル３２Ａにおける誤点灯／誤非点灯（以下、誤放電と称す）が生じない。すなわち、内部フリット６から表示領域Ｉまで充分な間隔を設けることによって、アウトガスの表示領域Ｉへの影響を抑止し、誤放電を防止するのである。
【００４２】
以上の内部フリット６の作用を確認するために、以下の試験を行った。すなわち、試験には、距離ｄ１およびｄ２を、１．５ｍｍ≦ｄ１≦１２ｍｍ、１．５ｍｍ≦ｄ２≦１２ｍｍの範囲で変化させた複数のプラズマディスプレイパネルを用意した。そして、それぞれのプラズマディスプレイパネルを駆動し、その振動音の発生および誤放電の発生を評価した。表１に振動音の発生についての試験結果を示し、表２に誤放電の発生についての試験結果を示す。
【００４３】
【表１】
2006278144.tif 000003
【００４４】
表１において、○は、振動音の発生が認められなかった値であり、×は、振動音の発生が認められた値である。
【００４５】
【表２】
2006278144.tif 000004
【００４６】
表２において、○は、通常の設定電圧で誤放電が発生することなく正常にセルが点灯／非点灯した値である。△は、画像を表示するレベルでは問題がないが、誤放電が発生することなく正常に放電セル３２Ａを点灯／非点灯させるために、若干設定電圧の調整が必要となった値である。×は、調整できる設定電圧の値を超えており、誤放電の発生を防ぐことができなかった値である。
【００４７】
以上の試験結果から、振動音が発生しないｄ１の値は、１．５ｍｍ〜１０ｍｍであることが分かる。また、誤放電が発生しないｄ２の値は、３．０ｍｍ〜１２ｍｍであり、より好ましくは、４．０ｍｍ〜１２ｍｍであることが分かる。つまり、ｄ１の値を小さくすればするほど問題となる振動音の発生が生じることを防ぐことができるが、一方、ｄ１の値を小さくすればするほどｄ２の値も小さくなるので、内部フリット６から発生するアウトガスにより、誤放電が発生し易くなる。したがって、上記プラズマディスプレイパネル１は、内部フリット６を、ｄ１が１０ｍｍ以下となる位置で、かつ、ｄ２が３．０ｍｍ以上、より好ましくは４．０ｍｍ以上となる位置に設ければ、駆動した際に振動音が発生せずかつ誤放電が発生することなく正常にセルが点灯／非点灯することが確認された。
【００４８】
〔プラズマディスプレイパネルの作用効果〕
上述したように、上記実施の形態では、プラズマディスプレイパネル１は以下の作用効果を奏することができる。
【００４９】
（１）プラズマディスプレイパネル１に、放電空間２を挟んで対向配置した背面基板３および前面基板４と、背面基板３に設けられ背面基板３および前面基板４の間隙を規定しかつ放電空間２を含む背面基板３および前面基板４に挟まれた空間を区画する隔壁３２を設けている。また、隔壁３２の外周側を囲みかつ背面基板３および前面基板４同士を封着するシールフリット５と、シールフリット５で密閉された気密領域ＩＩＩの内側かつ隔壁３２の外側の領域において、背面基板３および前面基板４の少なくとも長手方向両端側でそれぞれ当該長手方向と略直交する方向に延びて設けられ背面基板３および前面基板４同士を連結する内部フリット６と、を設けている。
このため、表示領域Ｉにおける隔壁３２の頂部に前面基板４の保護層４４が当接した状態となり、前面基板４が撓むことなく背面基板３と前面基板４との間隙寸法を一定にすることができる。これにより、パネル駆動時の表示領域Ｉにおける振動音の発生を防止することができる。また、内部フリット６をシールフリット５の内周側かつ隔壁３２の外周側に設けることにより背面基板３と前面基板４とが固定された状態となっているので、撓み量の大きい背面基板３および前面基板４の長手方向両端側で発生する振動音を可聴領域外にシフトすることができる。すなわち、擬似的に振動音の発生を防ぐことができる。
また、内部フリット６を、放電空間２に対向する側の端部と、隔壁３２における放電空間２の略外側に対応する部位との間の距離ｄ２が３．０ｍｍ以上となる位置に設けている。このため、内部フリット６と外側の放電セル３２Ａとの距離が３．０ｍｍ以上離れているので、適宜設定電圧を調整すれば誤放電が生じることなく良好な表示を実現することができる。したがって、プラズマディスプレイパネル１の駆動時において、振動音の発生を防止することができ、かつ、正常な表示を行うことができる。
【００５０】
（２）内部フリット６を、放電空間２に対向する側の端部と、隔壁３２における放電空間２の略外側に対応する部位との間の距離ｄ２が４．０ｍｍ以上となる位置に設ける。このような場合、設定電圧を調整する必要なく正常に放電セル３２Ａを点灯・非点灯させることができる。したがって、より簡単にプラズマディスプレイパネル１の良好な画像表示を得ることができる。
【００５１】
（３）内部フリット６を、放電空間２に対向する側の端部と、隔壁３２の外側の端部との間の距離ｄ１が１０ｍｍ以下となる位置に設けている。このため、背面基板３および前面基板４の端部側に形成された隙間Ｓ１にて固有の周波数の振動音が発生しても、発生した振動音の周波数が可聴領域よりも高音領域側にシフトしているので、利用者がこの振動音を認知することを防ぐことができる。したがって、擬似的に振動音を消去することができる。
【００５２】
（４）シールフリット５に、シールフリット５に含まれる低融点ガラス粉末よりも融点が高いガラスビーズ５０を混入している。そして、このガラスビーズの外径寸法Ｙを、隔壁３２の高さ寸法Ｘと略等しい寸法から高さ寸法Ｘの５倍の寸法に設定している。このため、封着工程において、シールフリット５内のガラスビーズ５０が背面基板３および前面基板４のそれぞれの端部間の間隙寸法を規定しているので、シールフリット５が収縮してもこれらガラス基板の端部が潰れることがなく、かつ、前面基板４の中央部が背面基板３に対して浮き上がることもない。また、内部フリット６にはガラスビーズが混入されていないので内部フリット６が収縮することにより、シールフリット５内のガラスビーズ５０を１つの支点とした状態で背面基板３および前面基板４の内部フリット６が設けられている部位間の距離が縮まり、放電空間２の略外側に対応する隔壁３２の頂部と前面基板４の保護層４４とが当接する状態となる。これにより、表示領域Ｉにおける隔壁３２の頂部に前面基板４の保護層４４を密着させ、前面基板４が撓むことなく背面基板３と前面基板４との間隙寸法Ｘを規定することができる。したがって、良好に振動音の発生を防ぐことができる。
【００５３】
（５）内部フリット６を、シールフリット５で密閉された気密領域ＩＩＩの内側かつ隔壁３２の外側の領域において、所定の長さの複数の直線がそれぞれ同一直線上に延びた点線状に形成している。このため、同一直線上に形成されたそれぞれの内部フリット６同士の間に隙間が形成されているので気体の流動性が良く、封着工程における内部フリット６に含まれた樹脂や溶剤などが揮発したガス成分を良好にパネル外部に排気することができ、排気工程における気密領域ＩＩＩ内部の気体を良好に排気することができる。そして、内部フリット６と対向する外側の放電セル３２Ａの面積も減少するので、内部フリット６から発生するアウトガスが外側の放電セル３２Ａに到達する可能性を減少することができる。したがって、プラズマディスプレイパネル１の駆動時における振動音発生および誤放電を確実に防ぐことができる。
【００５４】
（６）内部フリット６を、シールフリット５で密閉された気密領域ＩＩＩの内側かつ隔壁３２の外側の領域において、シールフリット５に沿って背面基板３および前面基板４の四辺に設けている。このため、封着工程およびガス封入工程において、それぞれのガラス基板の一部のみが局所的に撓むこともなくバランス良くそれぞれのガラス基板を変形することができる。したがって、より確実にプラズマディスプレイパネル１の駆動時における振動音発生を防ぐことができる。
【００５５】
（７）シールフリット５で用いる低融点ガラス粉末と内部フリット６で用いる低融点ガラス粉末とを同じ低融点ガラス粉末としているので、シールフリット用ペースト及び内部フリット用ペーストのペースト作成工程の一部を兼用化することができ、製造工程の簡略化と生産性の向上を図ることができる。
【００５６】
（８）内部フリット６は、気密領域ＩＩＩの内側かつ隔壁３２の外側の領域において、所定の長さおよび所定の幅を有した複数の直線が、それぞれの直線の長さ寸法よりも大きな一定の間隔をおいて同一直線上に延びて形成されている。このため、それぞれの内部フリット６同士の間隔がそれぞれの内部フリット６の長さ寸法に比べて充分に大きいので、パネル内部において良好な気体の流動性を確保できる。そして、封着工程における内部フリット６に含まれた樹脂や溶剤などが揮発したガス成分を良好にパネル外部に排気することができ、排気工程における気密領域ＩＩＩ内部の気体を良好に排気することができる。また、内部フリット６を点線状にせず隙間を設けない場合に比べて、少ない材料費でシールフリット５の内側から隔壁３２の外側において背面基板３および前面基板４を確実に連結することができる。さらに、内部フリット６と対向する外側の放電セル３２Ａの面積も減少するので、内部フリット６から発生するアウトガスが外側の放電セル３２Ａに到達する可能性を著しく減少することができる。したがって、簡易な構成で製造性を向上することができ、かつ、プラズマディスプレイパネル１の駆動時における振動音発生および誤放電を確実に防ぐことができる。
【００５７】
〔実施の形態の変形〕
なお、本発明は上述した実施の形態に限定されるものではなく、本発明の目的を達成できる範囲で以下に示される変形をも含むものである。
【００５８】
前記実施の形態では、隔壁３２を井桁状に形成する構成としたが、これに限らず、例えば、隔壁をストライプ状に形成する構成としてもよい。このような構成でも前記実施の形態と同様の作用効果を得ることができる。また、図３および図４に示す領域ＩＩにおける隔壁３２には蛍光体層を設けずに捨てセル３２Ｂとする構成としたが、捨てセル３２Ｂを設けない構成としてもよい。すなわち、例えば、サンドブラスト法などにより外周側まで均一な形状で隔壁を形成し、形成した隔壁に全て蛍光体層を設ける構成でもよい。このような場合は、隔壁３２の外側の端部と、隔壁３２における放電空間２（すなわち表示領域Ｉ）の略外側に対応する部位とが一致するので、ｄ１＝ｄ２＝ｄとなる。そして、内部フリット６を設ける際に３≦ｄ≦１０より好ましくは４≦ｄ≦１０の条件を満たすようにすれば、前記実施の形態と同様に、振動音発生を防止することができ、かつ、正常な表示を行うことができる。
【００５９】
前記実施の形態では、内部フリット６を、シールフリット５で密閉された気密領域ＩＩＩの内側かつ隔壁３２の外側の領域において、シールフリット５に沿って背面基板３および前面基板４の四辺に設ける構成としたが、これに限らない。すなわち、例えば、図５に示したプラズマディスプレイパネル１Ａのように、内部フリット６Ａを、背面基板３および前面基板４の長手方向両端部側にのみ当該長手方向と略直交する点線状に設ける構成としても構わない。なお、図５に示すプラズマディスプレイパネル１Ａは、図２に示すプラズマディスプレイパネル１の内部フリット６のみが異なる構成であるため、図２に示すプラズマディスプレイパネル１と同様の構成については同一の符号を付して説明を適宜省略した。このような構成の場合、撓み量が大きくなる背面基板３および前面基板４の長手方向両端部側のみに対して内部フリット６Ａを設けているので、少ない部材で前記実施の形態と略同様の作用効果を奏することができる。
【００６０】
また、例えば図６に示すプラズマディスプレイパネル１Ｂのように、内部フリット６Ｂを、背面基板３および前面基板４の長手方向両端部側にのみ、当該長手方向と略直交する直線に沿う２本の直線をそれぞれ設ける構成としても構わない。なお、図６に示すプラズマディスプレイパネル１Ｂは、図２に示すプラズマディスプレイパネル１の内部フリット６のみが異なる構成であるため、図２に示すプラズマディスプレイパネル１と同様の構成については同一の符号を付して説明を適宜省略した。このような構成の場合、撓み量が大きくなる背面基板３および前面基板４の長手方向両端部側のみに対して内部フリット６Ｂを設けているので、少ない部材で前記実施の形態と略同様の作用効果を奏することができる。また、図５に示した内部フリット６Ａと比較してそれぞれの内部フリット６Ｂがより大きな長さを有しているので、シールフリット５で密閉された気密領域ＩＩＩの内側かつ隔壁３２の外側の領域において、背面基板３および前面基板４を確実に固定することができる。したがって、より確実に振動音の発生を防ぐことができる。
【００６１】
さらに、例えば図７に示すプラズマディスプレイパネル１Ｃのように、内部フリット６Ｃを、背面基板３および前面基板４の長手方向両端部側にのみ、当該長手方向と略直交する直線に沿う３本の直線をそれぞれ設ける構成としても構わない。なお、図７に示すプラズマディスプレイパネル１Ｃは、図２に示すプラズマディスプレイパネル１の内部フリット６のみが異なる構成であるため、図２に示すプラズマディスプレイパネル１と同様の構成については同一の符号を付して説明を適宜省略した。このような構成の場合、撓み量が大きくなる背面基板３および前面基板４の長手方向両端部側に対して内部フリット６Ｂを設けているので、少ない部材で前記実施の形態と略同様の作用効果を奏することができる。また、図５に示した内部フリット６Ａと比較してそれぞれの内部フリット６Ｃがより大きな長さを有しているので、シールフリット５で密閉された気密領域ＩＩＩの内側かつ隔壁３２の外側の領域において、背面基板３および前面基板４を確実に固定することができる。したがって、より確実に振動音の発生を防ぐことができる。さらに、図６に示した内部フリット６Ｂと比較して、当該長手方向と略直交する直線に沿うそれぞれ３本の内部フリット６Ｃ間に設けられる隙間の数が多いので、気体の流動性が良く、封着工程における内部フリット６Ｃに含まれた樹脂や溶剤などが揮発したガス成分を良好にパネル外部に排気することができ、排気工程における気密領域ＩＩＩ内部の気体を良好に排気することができる。
【００６２】
そして、例えば、図８に示すプラズマディスプレイパネル１Ｄのように、内部フリット６Ｄを、少なくとも通気孔３４の近傍を除いて、シールフリット５に沿って背面基板３および前面基板４の四辺に一連に設ける構成としてもよい。なお、図８に示すプラズマディスプレイパネル１Ｄは、図２に示すプラズマディスプレイパネル１の内部フリット６のみが異なる構成であるため、図２に示すプラズマディスプレイパネル１と同様の構成については同一の符号を付して説明を適宜省略した。このような構成の場合、前記実施の形態と略同様の作用効果を奏することができ、さらに、シールフリット５で密閉された気密領域ＩＩＩの内側かつ隔壁３２の外側の領域において、背面基板３および前面基板４をより確実に固定することができる。したがって、より確実に振動音の発生を防ぐことができる。また、内部フリット６Ｄを通気孔３４の近傍には設けていないので、封着工程において内部フリット６Ｃに含まれた樹脂や溶剤などが揮発したガス成分をパネル外部に排気することができ、排気工程においても気密領域ＩＩＩ内部の気体を良好に排気することができる。
【００６３】
また、例えば図２に示すプラズマディスプレイパネル１では、内部フリット６を、シールフリット５で密閉された気密領域ＩＩＩの内側かつ隔壁３２の外側の領域において、所定の長さの複数の直線がそれぞれ１本の同一直線上に延びた点線状に形成したが、これに限らない。すなわち、例えば、所定の長さの複数の内部フリットを、複数に区分して、それぞれ所定の区分に該当する内部フリットを平行する複数の直線のうち特定の直線上に点線状に配設する構成としてもよい。この場合においても、放電空間２に最も近接する内部フリットにおいて上記で定義したｄ１、ｄ２の範囲内に設定すれば、上記実施の形態と同様の作用効果を奏することができる。さらに、このような構成の場合、シールフリット５で密閉された気密領域ＩＩＩの内側かつ隔壁３２の外側の領域において、内部フリットが分布する領域が拡がりかつ所定の規則性を有した状態で内部フリットが分散しているので、背面基板３および前面基板４を偏りなく固定することができる。また、隣接する内部フリット同士の間隔が広がるので気体の流動性も向上させることができる。そして、例えば、所定の長さの複数の内部フリットを、シールフリット５で密閉された気密領域ＩＩＩの内側かつ隔壁３２の外側の領域において、ランダムに形成してもよい。この場合においても、放電空間２に最も近接する内部フリットにおいて、上記で定義したｄ１、ｄ２の範囲内に設定すれば、前記実施の形態と略同様の作用効果を奏することができる。
【００６４】
前記実施の形態では、シールフリット５および内部フリット６を、例えば、低融点ガラス粉末にアクリルなどの樹脂とターピネオールなどの溶剤で混練したペーストから形成したが、これに限らない。すなわち、例えば封着工程での作業温度よりも融点が低い材料からなる粉末をペースト状にしたものなどでもよく、ガラス基板同士を確実に封着し、あるいは、連結できる材料であればいずれでも構わない。
【００６５】
〔実施の形態の作用効果〕
上述したように、上記実施の形態では、プラズマディスプレイパネル１に、放電空間２を挟んで対向配置した背面基板３および前面基板４と、隔壁３２と、シールフリット５と、シールフリット５で密閉された領域の内側かつ隔壁３２の外側の領域において背面基板３および前面基板４同士を連結する内部フリット６と、を設けている。このため、内部フリット６によりシールフリット５の内周側かつ隔壁３２の外周側における背面基板３と前面基板４とが固定されている状態となっているので、撓み量の大きい背面基板３および前面基板４の長手方向両端側で発生する振動音を可聴領域外にシフトして、擬似的に振動音の発生を防ぐことができる。また、内部フリット６を、放電空間２に対向する側の端部と、隔壁３２における放電空間２の略外側に対応する部位との間の距離ｄ２が３．０ｍｍ以上となる位置に設けているので、誤放電が生じることなく良好な表示を実現することができる。したがって、プラズマディスプレイパネル１の駆動時において、振動音発生を防止することができ、かつ、正常な表示を行うことができる。
【図面の簡単な説明】
【００６６】
【図１】本実施の形態に係るプラズマディスプレイパネルの内部構造を示した斜視図である。
【図２】前記実施の形態におけるプラズマディスプレイパネルの外観を示した正面図である。
【図３】前記実施の形態におけるプラズマディスプレイパネルの要部を拡大して示した正面図である。
【図４】前記実施の形態におけるプラズマディスプレイパネルの断面を示す側面図であり、図４（Ａ）は熱処理前の状態を示し、図４（Ｂ）は熱処理後の状態を示す。
【図５】前記実施の形態の一変形例を示した正面図である。
【図６】前記実施の形態の一変形例を示した正面図である。
【図７】前記実施の形態の一変形例を示した正面図である。
【図８】前記実施の形態の一変形例を示した正面図である。
【符号の説明】
【００６７】
１，１Ａ〜１Ｄ       プラズマディスプレイパネル
２     放電空間
３     背面基板（一対の基板のうちの一方）
４     前面基板（一対の基板のうちの他方）
５     シールフリット（封着部材）
６，６Ａ〜６Ｄ       内部フリット（連結部材）
３２   隔壁
３４   通気孔
５０   ガラスビーズ（粒状物質）
ｄ１   距離
ｄ２   距離
Ｘ     高さ寸法（一対の基板同士の間隙寸法）
Ｙ     外径寸法
Ｉ      表示領域
【図１】
2006278144.tif 000005
【図２】
2006278144.tif 000006
【図３】
2006278144.tif 000007
【図４】
2006278144.tif 000008
【図５】
2006278144.tif 000009
【図６】
2006278144.tif 000010
【図７】
2006278144.tif 000011
【図８】
2006278144.tif 000012